(57)【要約】      （修正有）【課題】相手部材と連結しやすく、取り外しやすい釣具の連結構造を提供する。【解決手段】釣具の連結構造は、相手部材のリング部Ｓ１と連結する連結部材３０を備えている。擬似餌は、サルカンＳ（相手部材）のリング部Ｓ１と連結する連結部材３０と、餌部と、連結部材３０および餌部を接続する接続部とを備えている。連結部材３０は、線材が始点３１１ａから終点３１１ｂまで１周回された環状部３１１と、環状部３１１からの線材が内側に向かって折り曲げられた突出部３１２とを有するアイレット部３１と、環状部３１１の始点３１１ａから環状部３１１の外側に向かって接続部に延びた脚部３２とを備えている。環状部３１１の始点３１１ａと終点３１１ｂとの間には、隙間３１３が設けられている。【選択図】図３
0003228605.tif 000002
【実用新案登録請求の範囲】
【請求項１】
相手部材のリング部と連結する連結部材を備え、
前記連結部材は、線材が始点から終点まで１周回された環状部と、前記環状部からの線材が内側に向かって折り曲げられた突出部とを備え、
前記環状部の前記始点と前記終点との間には、隙間が設けられた釣具の連結構造。
【請求項２】
前記突出部は、前記環状部を軸線方向から見て、前記環状部の中心からずれた鈍角方向に向かって延びるように形成された請求項１記載の釣具の連結構造。
【請求項３】
前記突出部は、前記突出部が突出した側に近い前記環状部に向かって膨らむ円弧状に形成された請求項２記載の釣具の連結構造。
【請求項４】
前記突出部は、前記環状部の軸線方向と直交する方向から見て、前記環状部から離れる方向に延びるように形成された請求項１または２記載の釣具の連結構造。
【請求項５】
前記釣具は、餌を模した餌部と、前記連結部材および前記餌部を接続する接続部とを有する擬似餌であり、
前記連結部材には、前記環状部の始点から前記環状部の外側に向かって延びた脚部が形成され、
前記脚部の先端から折り返す折曲部が形成された請求項１から４のいずれかの項に記載の釣具の連結構造。
【考案の詳細な説明】
【技術分野】
【０００１】
本考案は、擬似餌やサルカンなど、環状の連結部材により相手部材と連結する釣具の連結構造に関するものである。
【背景技術】
【０００２】
擬似餌（ルアー）は、昆虫や小魚などの餌に模した餌部により魚類に興味を持たせ、近寄らせることで、釣り針に喰い付いた魚類を釣り上げるためのものである。擬似餌には、相手部材のリング部と連結するための連結部材を備えており、スプリットリングやスナップリング、スイベル、サルカンなどを介して釣り糸に接続される。
このような連結部材に関する技術について、スプリットリングであるが特許文献１に記載されたものが知られている。
【０００３】
特許文献１に記載の擬似餌は、前端の環状部（以下、ラインアイともいう）に、スプリットリングを取付け、このスプリットリングに、道糸と糸付き釣り針（以下、アシストフックともいう）とを結び付けた継ぎ目の無いソリッドリングを連結したものである。
【０００４】
また、擬似餌ではないが、特許文献２に記載されたスプリットリングが知られている。
この特許文献２に記載のスプリットリングは、線材をその両端部の所要長が重なり合うように螺旋状に巻いてリング部を形成し、両端部を各々の先端から所要長のおよそ１／２の部位でリング部の径方向内側へ折曲し、その折曲部どうしを螺旋の軸方向において互いに重ね合わせてスプリット部を形成したものである。
【先行技術文献】
【特許文献】
【０００５】
【特許文献１】実用新案登録第３１１０６７２号公報
【特許文献２】特開平８−２７７８２９号公報
【考案の概要】
【考案が解決しようとする課題】
【０００６】
特許文献１に記載の擬似餌では、閉じた環状部が、スプリットリングに連結されているが、スプリットリングは線材を２周回して形成されたものであるため、連結する際に、スプリットリングに挿入しにくい。
【０００７】
また、特許文献２に記載のスプリットリングは、１周回った線材の端部同士を一緒に径方向外側から内側に向かって折り曲げているため、径方向外側から内側に向かって相手部材を滑り込ませれば、線材の端部同士が押し開かれるので、相手部材を簡単に挿入することができる。
【０００８】
しかし、特許文献２に記載のスプリットリングでも、１周回った線材の両方の端部を隙間無く揃えて折り曲げているため、相手部材を押し開きながら挿入する必要がある。また、相手部材を外す場合にもスプリットリングを２本の指で挟み、径が小さくなるように圧縮して隙間を作っているが、擬似餌のアイレットは、直径が約５ｍｍ程度のものであるため、指で挟み難い。
また、両方の端部を径方向外側から内側に向かって折り曲げたスプリットリングでは、餌部（擬似餌本体）に接続する箇所が無いため、例えば、擬似餌のアイレットやサルカンとしては使用することができない。
【０００９】
そこで本考案は、相手部材と連結しやすく、取り外しやすい釣具の連結構造を提供することを目的とする。
【課題を解決するための手段】
【００１０】
本考案の釣具の連結構造は、相手部材のリング部と連結する連結部材を備え、前記連結部材は、線材が始点から終点まで１周回された環状部と、前記環状部からの線材が内側に向かって折り曲げられた突出部とを備え、前記環状部の前記始点と前記終点との間には、隙間が設けられたことを特徴とする。
【００１１】
本考案の釣具の連結構造によれば、環状部の始点と終点との間には、隙間が設けられているため、相手部材のリング部が突出部を通過し、環状部へ移るときに、リング部を形成する線材が隙間を通過するため、リング部を、突出部から隙間を介して環状部へ移して、容易に、連結状態とすることができる。また、リング部を、環状部から隙間を介して突出部へ移して、容易に、連結状態を解除することができる
【００１２】
前記突出部は、前記環状部を軸線方向から見て、前記環状部の中心からずれた鈍角方向に向かって延びるように形成されたものとすることができる。
相手部材と環状部との連結を解除する際に、相手部材のリング部を狭い隙間側に通すことを、容易に判断することができる。
【００１３】
前記突出部は、前記突出部が突出した側に近い前記環状部に向かって膨らむ円弧状に形成されたものとすることができる。
リング部を環状部に連結するときには、リング部が突出部に沿って円弧状に移動し、隙間を通ると、そのまま環状部に沿って円弧状に移動するので、リング部を環状部にスムーズに連結状態とすることができる。
【００１４】
前記突出部は、前記環状部の軸線方向と直交する方向から見て、前記環状部から離れる方向に延びるように形成されたものとすることができる。
突出部が、環状部から離れる方向に延びるように形成されているため、リング部を、更に容易に、突出部に引っ掛けることができる。
【００１５】
前記釣具は、餌を模した餌部と、前記連結部材および前記餌部を接続する接続部とを有する擬似餌であり、前記連結部材には、前記環状部の始点から前記環状部の外側に向かって延びた脚部が形成され、前記脚部の先端から折り返す折曲部が形成されたものとすることができる。
脚部の先端に折曲部が形成されていることで、折曲部に、追加の餌部を引っ掛かることができるので、魚の反応を見ながら、餌部を折曲部に引っ掛けるなどして追加することが可能である。
【考案の効果】
【００１６】
本考案によれば、リング部を、突出部から隙間を介して環状部へ移して、容易に、連結状態とすることができ、また、環状部から隙間を介して突出部へとリング部を取り外すことができる。
【図面の簡単な説明】
【００１７】
【図１】本考案の実施の形態に係る擬似餌に相手部材としてサルカンが連結した状態を示す図である。
【図２】図１に示す擬似餌の連結部材を示す図であり、（Ａ）は連結部材を軸線方向から見た図、（Ｂ）は連結部材を軸線方向と直交する方向から見た図である。
【図３】図２に示す連結部材にサルカンのリング部を連結することを説明するための図であり、（Ａ）は連結部材を軸線方向から見た図、（Ｂ）は連結部材を軸線方向と直交する方向から見た図である。
【図４】図２に示す連結部材とサルカンのリング部との連結解除を説明するための図である。
【図５】本考案の実施の形態に係るサルカンを説明するための図である。
【考案を実施するための形態】
【００１８】
本考案の実施の形態に係る釣具の連結構造について、釣具の一例である擬似餌を、図面に基づいて説明する。
図１に示す本実施の形態に係る擬似餌１０は、フラッシャーと称され、ジギングに用いられるものである。
擬似餌１０は、餌部２０と、連結部材３０と、接続部４０とを備えている。
餌部２０と接続部４０とで本体部が構成される。
【００１９】
餌部２０は、昆虫や小魚などの餌を模したものであり、基端部２０ａが接続部４０に固定され、先端部２０ｂが自由端で、水中でなびくことで、魚類を引き寄せるものである。
餌部２０は、ティンセル２１と、ネクタイ２２とを備えている。
ティンセル２１は、多数の樹脂糸の基端部を束ねたものである。また、ネクタイ２２は、基端から徐々に太くなった後に、先端に向かって幅が徐々に細くなる樹脂帯により形成されている。なお、餌部２０は、ティンセル２１、ネクタイ２２だけでなく、魚皮、鳥の羽、獣の革、毛皮なども付けることができる。
【００２０】
連結部材３０は、相手部材と連結するものである。本実施の形態では、連結部材３０に相手部材であるサルカンＳが連結される。
図２（Ａ）および同図（Ｂ）の示す連結部材３０は、アイレット部３１と、脚部３２と、折曲部３３とを備えている。
【００２１】
アイレット部３１は、脚部３２からの線材が１周回された環状部３１１と、環状部３１１からの線材が内側に向かって折り曲げられた突出部３１２とを備えている。
環状部３１１は、始点３１１ａから終点３１１ｂまで１周回されて形成されている。この始点３１１ａと終点３１１ｂとの間には、隙間３１３が設けられている。
図２（Ａ）に示すように、環状部３１１を軸線Ｘ方向（図２（Ｂ）参照）から見て、突出部３１２は、環状部３１１の直角方向となる中心３１４からずれた鈍角方向に向かって延びるように形成されている。つまり、突出部３１２との基端３１２ａにおける接線Ｌ１と突出部３１２の突出方向との成す角度が鈍角となるように形成されている。
図２（Ｂ）に示すように、環状部３１１の軸線Ｘ方向と直交する方向から見て、突出部３１２は、環状部３１１から離れる方向に延びるように形成されている。
【００２２】
脚部３２は、環状部３１１の始点３１１ａから環状部３１１の外側に向かって延びるように形成されている。本実施の形態では、脚部３２は、中心３１４に向かう半径方向Ｒ外方に向かって直線状に形成されている。
折曲部３３は、脚部３２の先端から折り返すように折り曲げられて形成されている。
【００２３】
図１に示す接続部４０は、餌部２０と連結部材３０とを接続するものである。接続部４０は、餌部２０の基端部２０ａを脚部３２と一緒に束ねた状態で紐が巻き付けられ、接着材が塗布され、接着材が固化することで固定されている。
【００２４】
以上のように構成された本考案の実施の形態に係る擬似餌１０の使用状態を図面に基づいて説明する。なお、図３および図４においては、連結部材３０のみを図示している。
本実施の形態では、擬似餌１０をサルカンＳに取り付ける場合を説明する。
図３（Ａ）に示すように、サルカンＳのリング部Ｓ１の中に、連結部材３０におけるアイレット部３１の突出部３１２の先端３１２ｂを通し掛ける。
突出部３１２は、環状部３１１の中で突出しているため、リング部Ｓ１を容易に突出部３１２に掛けることができる。また、図２（Ｂ）に示すように、環状部３１１の軸線Ｘ方向と直交する方向から見て、突出部３１２は、環状部３１１から離れる方向に延びるように形成されているため、リング部Ｓ１を、更に、容易に、突出部３１２に引っ掛けることができる。
【００２５】
次に、リング部Ｓ１を突出部３１２の先端３１２ｂから基端３１２ａに向かう方向Ｆ１へ移動させる。リング部Ｓ１が突出部３１２を通過し、環状部３１１の終点３１１ｂを超えると、図３（Ｂ）に示すように、リング部Ｓ１を環状部３１１の円周に沿った方向Ｆ２へ移動させることで、リング部Ｓ１の中に環状部３１１の線材が位置した状態となり、擬似餌１０とサルカンＳとが連結状態となる。
【００２６】
環状部３１１は、始点３１１ａと終点３１１ｂとの間に隙間３１３が設けられているため、リング部Ｓ１が突出部３１２を通過し、環状部３１１へ移るときに、リング部Ｓ１を形成する線材が隙間３１３を通過するため、リング部Ｓ１を、突出部３１２から環状部３１１へ移して、容易に、連結状態とすることができる。
【００２７】
特に、隙間３１３が、リング部Ｓ１を形成する線材の太さより大きい場合には、環状部３１１の抵抗なくリング部Ｓ１を環状部３１１に挿入することができる。
【００２８】
サルカンＳに擬似餌１０が連結された状態で釣りに使用される。この擬似餌１０には釣針が接続されていないため、釣りを行っている間や、魚が釣針（図示せず）に食いついたときでも、餌部２０が流れに伴って擬似餌１０がリング部Ｓ１を引っぱるようにサルカンＳにぶら下がった状態が維持される。そのため、隙間３１３とは反対側となる環状部３１１がリング部Ｓ１に当接した状態で、水中を漂っているだけである。従って、環状部３１１の始点３１１ａと終点３１１ｂとの間に隙間３１３が設けられていても、サルカンＳのリング部Ｓ１が、隙間３１３から外れ、連結が解除されることはない。
【００２９】
また、突出部３１２は、環状部３１１の直角方向となる中心３１４よりずれた鈍角方向に向かって延びるように形成されている。そのため、図２（Ａ）に示すように、突出部３１２の先端３１２ｂを通る仮想線Ｌ２であって、接線Ｌ１と平行な仮想線Ｌ２上においては、突出部３１２の先端３１２ｂからの一方の隙間Ｗ１と、他方の隙間Ｗ２とでは、隙間Ｗ２の方が大きい。
隙間Ｗ２側にリング部Ｓ１が移動しても突出部３１２の基端３１２ａは環状部３１１の終点３１１ｂに繋がっている。
従って、釣りを行っている際に、リング部Ｓ１が、隙間３１３側より、確率的に隙間Ｗ２側に向かうことにより、リング部Ｓ１が環状部３１１から外れ難い。
【００３０】
次に、サルカンＳを擬似餌１０から外す場合を説明する。
図４に示すように、リング部Ｓ１の中に環状部３１１の線材が位置した連結状態から、リング部Ｓ１を突出部３１２の先端３１２ｂに通して掛ける。
突出部３１２は、環状部３１１の中心３１４から鈍角方向に向かって延びるように形成されている。そのため、図２（Ａ）に示すように、連結を解除する際に、サルカンＳのリング部Ｓ１を隙間Ｗ１側に通すことを、容易に判断することができる。
【００３１】
次に、リング部Ｓ１を、突出部３１２の先端３１２ｂから基端３１２ａに向かう方向Ｆ１（環状部３１１の終点３１１ｂへ向かう方向）へ移動させる。リング部Ｓ１が突出部３１２を通過し、環状部３１１の始点３１１ａと終点３１１ｂとの間を超えると、リング部Ｓ１が環状部３１１から外れ、擬似餌１０とサルカンＳとが連結が解除される。
このようにサルカンＳのリング部Ｓ１と連結部材３０との連結の解除においても、環状部３１１の始点３１１ａと終点３１１ｂとの間に隙間３１３が設けられているため、連結状態を容易に解除することができる。
【００３２】
本実施の形態では、突出部３１２は、突出部３１２が突出した側に近い環状部３１１に向かって膨らむ円弧状に形成されている。従って、リング部Ｓ１を環状部３１１に連結するときには、リング部Ｓ１が突出部３１２に沿って円弧状に移動し、隙間３１３を通ると、そのまま環状部３１１に沿って円弧状に移動する。そのため、リング部Ｓ１を環状部３１１にスムーズに連結状態とすることができる。
【００３３】
折曲部３３が、脚部３２の先端から折り返すように折り曲げられて形成されているため、追加の餌部、例えば、追加のティンセルや追加のネクタイなどを、折曲部３３に引っ掛けることで、魚の反応に合わせて、餌部２０の構成を容易に変更することができる。
【００３４】
本実施の形態に係る擬似餌１０は、ティンセル２１とネクタイ２２とによる餌部２０が、接続部４０により連結部材３０に接続されたフラッシャーであるため、釣針を有していない。
擬似餌が釣針を備えていると、魚が釣れ、魚を釣針から取り外すときには、プライヤーなどの工具で釣針を魚の口から引き抜くが、このとき、工具から相当な力が釣針に加わるため、釣針の周囲に位置する餌部にダメージを与えることがある。
また、釣針が錆びて擬似餌を廃棄するときには、餌部が接続部により接続され、餌部と釣針とが一体となっているため、一緒に廃棄することになる。
【００３５】
しかし、本実施の形態に係る擬似餌１０では、釣針は、連結部材３０が連結する相手部材、例えば、図１に示すサルカンＳを介して連結されるため、魚を釣針から取り外すときでも、餌部２０に影響を与えない。また、釣針を廃棄する場合でも釣針だけ廃棄すればよいので、擬似餌１０は長く使用できる。
また、上述したように擬似餌１０は、相手部材のリング部に、容易に取り付けることができ、リング部から容易に取り外すことができる。そのため、様々な形のティンセル２１やネクタイ２２などとした擬似餌１０を多数準備しておけば、漁場、天候、魚種に応じて、色々な擬似餌１０を試すことができる。従って、擬似餌１０は、釣果も期待できるものである。
【００３６】
なお、本実施の形態では、図１に示す擬似餌１０として、ティンセルを有するフラッシャーを例に説明したが、本考案は、例えば、トップウォータ、シンキングペンシル、ミノー、シャッド、バイブレーション、メタルジグ、スプーン、エギ、ワーム、イカメタル、タイラバなど、各種の擬似餌に適用可能である。
相手部材は、図１に示すサルカンＳを例に説明したが、スプリットリングやスナップリング、スイベル、アイレット、ソリッドリングなどでもよい。
【００３７】
また、図１では、相手部材がサルカンＳであったが、サルカンＳのリング部Ｓ１が、本考案の連結部材により形成されていてもよい。
図５に示すようにサルカン１００は、サルカン本体１１０の両側にリング部Ｓ１，Ｓ２が形成されている。この一対のリング部Ｓ１，Ｓ２のうち一方のリング部Ｓ２が、連結部材１１０により形成されている。
なお、図５においては、図２と同じ構成のものは符号を付して説明を省略する。
【００３８】
連結部材１１０は、環状部３１１と突出部３１２と脚部１１１とを備えている。
脚部１１１は、円筒形状の本体部１２０内に延びて、先端を折り曲げたり、潰して直径を太くしたり、本体部１２０の内周面に沿ってリングを形成したりして、本体部１２０からの抜けを抑止している。
【００３９】
このようにリング部Ｓ２を、環状部３１１の始点３１１ａと終点３１１ｂとの間には、隙間３１３が設けられたものとすることで、相手部材のリング部を簡単に連結させることができる。
【産業上の利用可能性】
【００４０】
本考案は、昆虫や小魚を模した餌部により魚類を寄せ、釣り上げるための擬似餌や、擬似餌や針を連結するサルカンに好適である。
【符号の説明】
【００４１】
１０  擬似餌
２０  餌部
２０ａ  基端部
２０ｂ  先端部
２１  ティンセル
２２  ネクタイ
３０  連結部材
３１  アイレット部
３１１  環状部
３１１ａ  始点
３１１ｂ  終点
３１２  突出部
３１２ａ  基端
３１２ｂ  先端
３１３  隙間
３１４  中心
３２  脚部
３３  折曲部
４０  接続部
Ｓ，１００  サルカン
１１０  連結部材
１１１  脚部
１２０  本体部
Ｓ１，Ｓ２  リング部
Ｌ１  接線
Ｌ２  仮想線
Ｆ１，Ｆ２  方向
Ｒ  半径方向
Ｘ  軸線 
Ｗ１，Ｗ２  隙間
【図１】
0003228605.tif 000003
【図２】
0003228605.tif 000004
【図３】
0003228605.tif 000005
【図４】
0003228605.tif 000006
【図５】
0003228605.tif 000007